【手続補正書】
【提出日】平成19年9月28日(2007.9.28)
【手続補正１】
【補正対象書類名】明細書
【補正対象項目名】特許請求の範囲
【補正方法】変更
【補正の内容】
【特許請求の範囲】    【請求項１】本体の少なくとも前面上部に吸込口を、前面下部に上下風向板を備えた吹出口を夫々設け、前記吸込口と前記吹出口とを結ぶ空気通路に、フィルタと、下部にドレンパンを備えた熱交換器と、クロスフローファンとを順次設け、同クロスフローファンを駆動する第一駆動モータと、前記上下風向板を駆動する第二駆動モータと、電装部とを夫々設けてなる空気調和機において、  前記本体が、前記クロスフローファンを収容し、前記吹出口および前記ドレンパンを備えたケーシングを備え、前記ケーシングの側部に取り付けられ、前記第一駆動モータと前記第二駆動モータとを内蔵して前記電装部をユニット化した電装品モジュールとを有すること特徴とする空気調和機。    【請求項２】  前記熱交換器が、側面視で前部熱交換器および後部熱交換器により逆略Ｖ字状に形成され、これら前部熱交換器および後部熱交換器に対応して前記ドレンパンが前後に配置される一方、  本体を壁面に固着された据付板に係止固定するようにしてなると共に、前記熱交換器を支持する支持部を備えて前記ケーシングの両側に接合され、前記据付板の係止爪に係脱可能に係止する係止部を備えた側板を備え、  前記側板に、前記前後のドレンパンを結ぶ導水路を設けてなることを特徴とする請求項１に記載の空気調和機。    【請求項３】前記ケーシングと前記側板との接合部が、同側板の下部に対応して前記ケーシングの側部に形成された断面略凹状の収容溝からなることを特徴とする請求項２に記載の空気調和機。    【請求項４】前記電装品モジュールを前記側板および前記ケーシングの側部に取り付ける取付部が、前記ケーシングの側部にねじ孔を備えて形成された下部フランジと、前記ねじ孔に対応する挿通孔を備えて前記電装品モジュールに形成され前記下部フランジに重合する上部フランジと、前記電装品モジュールに形成され、前記電装品モジュールを前記側板の周縁に係止する補助係止爪とからなり、前記下部フランジと前記上部フランジを重合するとともに、前記補助係止爪を前記側板の周縁に係止して前記電装品モジュールを仮固定し、前記挿通孔を挿通したねじを前記ねじ孔に螺着して取り付けるようにしたことを特徴とする請求項２乃至請求項３の何れかに記載の空気調和機。    【請求項５】前記下部フランジに前記上部フランジを重合して前記電装品モジュールを仮固定することにより、前記ケーシングの両側壁および前記側板に設けた上下の軸受部で挟持された前記クロスフローファンの回転軸と、前記第一駆動モータの駆動軸とを同心状に位置決めしてなることを特徴とする請求項４に記載の空気調和機。 【手続補正２】
【補正対象書類名】明細書
【補正対象項目名】０００５
【補正方法】変更
【補正の内容】
【０００５】【課題を解決するための手段】本発明は、上記課題を解決するため、本体の少なくとも前面上部に吸込口を、前面下部に上下風向板を備えた吹出口を夫々設け、前記吸込口と前記吹出口とを結ぶ空気通路に、フィルタと、下部にドレンパンを備えた熱交換器と、クロスフローファンとを順次設け、同クロスフローファンを駆動する第一駆動モータと、前記上下風向板を駆動する第二駆動モータと、電装部とを夫々設けてなる空気調和機において、前記本体が、前記クロスフローファンを収容し、前記吹出口および前記ドレンパンを備えたケーシングを備え、前記ケーシングの側部に取り付けられ、前記第一駆動モータと前記第二駆動モータとを内蔵して前記電装部をユニット化した電装品モジュールとを有する構成となっている。【手続補正３】
【補正対象書類名】明細書
【補正対象項目名】０００６
【補正方法】変更
【補正の内容】
【０００６】また、前記熱交換器が、側面視で前部熱交換器および後部熱交換器により逆略Ｖ字状に形成され、これら前部熱交換器および後部熱交換器に対応して前記ドレンパンが前後に配置される一方、前記側板に、前記前後のドレンパンを結ぶ導水路を設けた構成となっている。【手続補正４】
【補正対象書類名】明細書
【補正対象項目名】０００７
【補正方法】変更
【補正の内容】
【０００７】また、前記ケーシングと前記側板との接合部が、同側板の下部に対応して前記ケーシングの側部に形成された断面略凹状の収容溝からなる構成となっている。【手続補正５】
【補正対象書類名】明細書
【補正対象項目名】０００８
【補正方法】変更
【補正の内容】
【０００８】また、前記電装品モジュールを、前記側板および前記ケーシングの側部に取り付ける取付部が、前記ケーシングの側部にねじ孔を備えて連続形成された下部フランジと、前記ねじ孔に対応する挿通孔を備えて前記電装品モジュールに連続形成され、前記下部フランジ上に重合する上部フランジと、前記電装品モジュールに連続形成され、前記側板の周縁に係止する補助係止爪とからなり、前記下部フランジ上に前記上部フランジをスライドさせて重合するとともに、前記補助係止爪を前記側板の周縁に係止して前記電装品モジュールを仮固定し、前記挿通孔を挿通したねじを前記ねじ孔に螺着して取り付けるようにした構成となっている。【手続補正６】
【補正対象書類名】明細書
【補正対象項目名】０００９
【補正方法】変更
【補正の内容】
【０００９】また、前記下部フランジに前記上部フランジを重合して前記電装品モジュールを仮固定することにより、前記ケーシングの両側壁および前記側板に設けた上下の軸受部で挟持された前記クロスフローファンの回転軸と、前記第一駆動モータの駆動軸とを同心状に位置決めした構成となっている。【手続補正７】
【補正対象書類名】明細書
【補正対象項目名】００１０
【補正方法】変更
【補正の内容】
【００１０】また、壁面に固着された据付板に係止固定される本体の少なくとも前面上部に吸込口を、前面下部に上下風向板を備えた吹出口を夫々設け、前記吸込口と前記吹出口とを結ぶ空気通路に、フィルタと、下部にドレンパンを備えた熱交換器と、クロスフローファンとを順次設け、同クロスフローファンの側部に、同クロスフローファンを駆動する第一駆動モータと、前記上下風向板を駆動する第二駆動モータと、電装部とを夫々設けてなる空気調和機において、前記本体が、前記クロスフローファンを収容し、前記吹出口および前記ドレンパンを備えたケーシングと、前記熱交換器を支持する支持部を備えて前記ケーシングの両側上部に接合され、前記空気通路の両側面を構成するとともに、前記据付板の係止爪に係脱可能に係止する係止部を備えた側板と、同側板および前記ケーシングの側部に取り付けられ、前記第一駆動モータと前記第二駆動モータとを内蔵して前記電装部をユニット化した電装品モジュールと、前記ケーシングの前部に装着され、前記吸込口をなす吸込グリルを着脱可能に備え、前記吹出口に連通する開口を備えた前面パネルとからなり、前記側板の係止部を前記据付板の係止爪に係止することにより、前記側板の後部を当接した前記据付板の上位部で前記ケーシングに連なる前記空気通路の背面を構成してもよい。また、前記据付板と、前記ケーシングおよび、または前記側板との間にシール部材を介装した構成としてもよい。【手続補正８】
【補正対象書類名】明細書
【補正対象項目名】００１１
【補正方法】変更
【補正の内容】
【００１１】また、前記後部熱交換器の下端部が、前記ケーシングの背面上端よりも下位に収容された構成としてもよい。【手続補正９】
【補正対象書類名】明細書
【補正対象項目名】００１２
【補正方法】変更
【補正の内容】
【００１２】また、前記側板が合成樹脂からなる構成としてもよい。【手続補正１０】
【補正対象書類名】明細書
【補正対象項目名】００１３
【補正方法】変更
【補正の内容】
【００１３】また、前記第二駆動モータがステッピングモータからなる構成としてもよい。【手続補正１１】
【補正対象書類名】明細書
【補正対象項目名】００１４
【補正方法】変更
【補正の内容】
【００１４】更に、前記下部フランジの上面先端部および、または前記上部フランジの下面先端部に傾斜面または曲面を形成した構成としてもよい。